(57)【要約】【課題】関連性のある電子ページを把握しつつ、複数のユーザが同じ電子ページを共有して、コミュニケーションを楽しむことができるコメント配信システムを提供する。【解決手段】端末装置から指定されたＷｅｂページから画像データを生成し、当該画像データを識別する画像識別情報とともに記憶しておき、また、関連性がある画像データについて画像識別情報を基に関連づけして記憶しておく。そして、コメント内容を含むコメントデータを、端末装置から受信して、画像データに対応させて記憶しておき、端末装置からの配信要求に応じて、要求された画像データを当該要求された画像データに対応させて記憶されたコメントデータとともに端末装置に配信する。さらに、配信した画像データに関連する画像データの画像識別情報を端末装置に配信する。【選択図】図１
2008305104.tif 000002
【特許請求の範囲】
【請求項１】
複数の端末装置とサーバが通信可能に接続されるコメント配信システムであって、
前記サーバは、
前記端末装置から指定されたＷｅｂページから画像データを生成し、当該画像データを識別する画像識別情報とともに記憶する画像データ記憶部と、
前記画像データ記憶部に記憶される画像データのうち、関連性がある画像データについて画像識別情報を基に関連づけして記憶する関連画像データ記憶部と、
コメント内容と、前記コメント内容を表示する付箋の前記画像データにおける位置を示す座標データと、を含むコメントデータを、前記画像データに対応させて記憶する第１のコメントデータ記憶部と、
前記端末装置からの配信要求を受信して、要求された画像データを前記画像データ記憶部から取得し、前記要求された画像データに対応させて記憶されたコメントデータを、前記第１のコメントデータ記憶部から取得し、前記端末装置に配信する第１の配信部と、
前記端末装置からの配信要求に応じて配信された画像データに関連する画像データの画像識別情報を前記関連画像データ記憶部を参照して読み出し、読み出した画像識別情報を前記端末装置に配信する第２の配信部と、
を有し、
前記端末装置は、
前記サーバにデータを送信する送信部と、
前記送信部を介して、前記サーバに対し配信要求を行い、画像データを受信する画像データ受信部と、
前記送信部を介して、前記サーバに対し配信要求を行い、前記画像データ受信部が受信した画像データに対して発言された、コメント内容と、前記コメント内容を表示する付箋の前記画像データにおける位置を示す座標データを含むコメントデータを受信するコメントデータ受信部と、
前記コメントデータを記憶する第２のコメントデータ記憶部と、
前記受信した画像データを表示し、前記コメントデータを基に前記画像データ上にコメントの表示された付箋を表示する表示部と、
前記サーバの第２の配信部によって配信される画像識別情報を受信して表示し、当該表示した画像識別情報が選択されると、当該選択された画像識別情報を前記サーバに送信して画像データの配信要求を行う関連画像データ管理部と、
を有することを特徴とするコメント配信システム。
【請求項２】
複数の端末装置と通信可能に接続されるサーバであって、
前記端末装置から指定されたＷｅｂページから画像データを生成し、当該画像データを識別する画像識別情報とともに記憶する画像データ記憶部と、
前記画像データ記憶部に記憶される画像データのうち、関連性がある画像データについて画像識別情報を基に関連づけして記憶する関連画像データ記憶部と、
コメント内容と、前記コメント内容を表示する付箋の前記画像データにおける位置を示す座標データと、を含むコメントデータを、前記端末装置から受信して、前記画像データに対応させて記憶する第１のコメントデータ記憶部と、
前記端末装置からの配信要求を受信して、要求された画像データを前記画像データ記憶部から取得し、前記要求された画像データに対応させて記憶されたコメントデータを、前記第１のコメントデータ記憶部から取得し、前記端末装置に配信する第１の配信部と、
前記端末装置からの配信要求に応じて配信された画像データに関連する画像データの画像識別情報を前記関連画像データ記憶部を参照して読み出し、読み出した画像識別情報を前記端末装置に配信する第２の配信部と、
を有することを特徴とするサーバ。
【請求項３】
前記第１のコメントデータ記憶部は、付箋に表示されたコメント同士の主従関係を示す情報を更に記憶することを特徴とする請求項２記載のサーバ。
【請求項４】
サーバと通信可能に接続される端末装置であって、
前記サーバにデータを送信する送信部と、
前記送信部を介して、前記サーバに対し配信要求を行い、画像データを受信する画像データ受信部と、
前記送信部を介して、前記サーバに対し配信要求を行い、前記画像データ受信部が受信した画像データに対して発言された、コメント内容と、前記コメント内容を表示する付箋の前記画像データにおける位置を示す座標データを含むコメントデータを受信するコメントデータ受信部と、
前記コメントデータを記憶する第２のコメントデータ記憶部と、
前記受信した画像データを表示し、前記コメントデータを基に前記画像データ上にコメントの表示された付箋を表示する表示部と、
前記表示部に表示した画像データに関連する画像データの画像識別情報を前記サーバから受信して表示し、当該表示した画像識別情報が選択されると、当該選択された画像識別情報を前記サーバに送信して画像データの配信要求を行う関連画像データ管理部と、
を有することを特徴とする端末装置。
【請求項５】
更に、コメント内容と、前記コメント内容を表示する付箋の前記画像データ上の位置とを指定して付箋を入力する付箋入力部を有し、
前記付箋入力部により新しい付箋が入力されると、
前記送信部は、前記新しい付箋のコメントデータを前記サーバに送信することを特徴とする請求項４記載の端末装置。
【請求項６】
前記表示部は、選択された付箋が他の位置に移動され、その位置に表示された場合、予め決められた時間が経過すると、元の位置に前記付箋を再表示することを特徴とする請求項４記載の端末装置。
【請求項７】
前記表示部は、選択された付箋が非表示要求されると、付箋を非表示とし、予め決められた時間が経過すると、前記非表示とした付箋を元の位置に再表示することを特徴とする請求項４記載の端末装置。
【請求項８】
前記付箋入力部は、主となるコメントを表示した付箋と、コメント内容と、前記画像データ上の座標データを指定して、新しい付箋を入力し、
前記送信部は、前記新しい付箋のコメントデータを、前記サーバに送信することを特徴とする請求項５記載の端末装置。
【請求項９】
前記表示部は、前記主となるコメントを表示した付箋が移動されると、その移動座標分だけ、前記主となるコメントと主従関係にあるコメントを表示した付箋を移動し、画像データ上に再表示することを特徴とする請求項８記載の端末装置。
【請求項１０】
前記表示部は、前記主となるコメントを表示した付箋が前記画像データ上から消去されると、前記主となるコメントと主従関係にあるコメントを表示した付箋を、前記画像データ上から消去することを特徴とする請求項８記載の端末装置。
【請求項１１】
複数の端末装置と通信可能に接続されるサーバが、前記端末装置から指定されたＷｅｂページから画像データを生成し、当該画像データを識別する画像識別情報とともに記憶するステップと、
前記画像データ記憶部に記憶される画像データのうち、関連性がある画像データについて画像識別情報を基に関連づけして記憶するステップと、
コメント内容と、前記コメント内容を表示する付箋の前記画像データにおける位置を示す座標データと、を含むコメントデータを前記端末装置から受信して、前記画像データに対応させて記憶するステップと、
前記端末装置からの配信要求を受信して、要求された画像データを取得し、前記要求された画像データに対応させて記憶されたコメントデータを取得し、前記端末装置に配信するステップと、
前記端末装置からの配信要求に応じて配信された画像データに関連する画像データの画像識別情報を前記関連画像データ記憶部を参照して読み出し、読み出した画像識別情報を前記端末装置に配信するステップと、
を有することを特徴とするコメント配信方法。
【請求項１２】
サーバと通信可能に接続される端末装置が、前記サーバにデータを送信する送信ステップと、
前記サーバに対し配信要求を行い、画像データを受信するステップと、
前記サーバに対し配信要求を行い、前記受信した画像データに対して発言された、コメント内容と、前記コメント内容を表示する付箋の前記画像データにおける位置を示す座標データを含むコメントデータを受信するステップと、
前記コメントデータを記憶するステップと、
前記受信した画像データを表示し、前記コメントデータを基に前記画像データ上にコメントの表示された付箋を表示するステップと、
前記表示した画像データに関連する画像データの画像識別情報を前記サーバから受信して表示し、当該表示した画像識別情報が選択されると、当該選択された画像識別情報を前記サーバに送信して画像データの配信要求を行うステップと、
を有することを特徴とするコメント表示方法。
【請求項１３】
複数の端末装置と通信可能に接続されるコンピュータを、
前記端末装置から指定されたＷｅｂページから画像データを生成し、当該画像データを識別する画像識別情報とともに記憶する画像データ記憶手段、
前記画像データ記憶部に記憶される画像データのうち、関連性がある画像データについて画像識別情報を基に関連づけして記憶する関連画像データ記憶手段、
コメント内容と、前記コメント内容を表示する付箋の前記画像データにおける位置を示す座標データと、を含むコメントデータを前記端末装置から受信して、前記画像データに対応させて記憶する第１のコメントデータ記憶手段、
前記端末装置からの配信要求を受信して、要求された画像データを前記画像データ記憶部から取得し、前記要求された画像データに対応させて記憶されたコメントデータを、前記第１のコメントデータ記憶手段から取得し、前記端末装置に配信する第１の配信手段、
前記端末装置からの配信要求に応じて配信された画像データに関連する画像データの画像識別情報を前記関連画像データ記憶手段を参照して読み出し、読み出した画像識別情報を前記端末装置に配信する第２の配信手段、
として機能させるプログラム。
【請求項１４】
サーバと通信可能に接続される端末装置を、
前記サーバにデータを送信する送信手段と、
前記送信手段を介して、前記サーバに対し配信要求を行い、前記画像データ受信部が受信した画像データに対して発言された、画像データを受信する画像データ受信手段と、
前記送信手段を介して、前記サーバに対し配信要求を行い、コメント内容と、前記コメント内容を表示する付箋の前記画像データにおける位置と大きさを示す座標データを含むコメントデータを受信するコメントデータ受信手段と、
前記コメントデータを記憶する第２のコメントデータ記憶手段と、
前記受信した画像データを表示し、前記コメントデータを基に前記画像データ上にコメントの表示された付箋を表示する表示手段、
前記表示部に表示した画像データに関連する画像データの画像識別情報を前記サーバから受信して表示し、当該表示した画像識別情報が選択されると、当該選択された画像識別情報を前記サーバに送信して画像データの配信要求を行う関連画像データ管理手段、
として機能させるプログラム。
【発明の詳細な説明】
【技術分野】
【０００１】
本発明は、Ｗｅｂページを画像データに変換し、その画像データにコメントを貼付することを利用して、ユーザ間のコミュニケーションを行うことができるコメント配信システム、サーバ、端末装置、コメント配信方法、コメント表示方法、及びプログラムに関する。
【背景技術】
【０００２】
従来、複数のユーザがインターネット上のサイトにアクセスし、ホームページやブログなどのコメント欄にコメントを書き込むことによって発言することができる。例えば、あるショッピングモールを紹介しているブログにおいては、ブログを見たユーザが、作成されたブログの内容に対する感想をコメント欄に書き込んだり、そのショッピングモール内で自分の知っている店や扱っている商品の紹介文などをコメント欄に書き込むことができる。
このようなコメントの書き込みにより、複数のユーザ同士で情報交換が行われる。
しかしながら、このようなコメント欄に書き込む形式では、予め決められた欄内にコメントを書き込まなければならず、例えば、ブログ内の写真の一部を指し示してコメントをしたいユーザにとっては、コメントを付す自由度が低いという問題がある。
ここで、特定のコメント欄以外にコメントを付すことのできる技術として、下記の先行技術文献１および２がある。この技術によれば、任意の位置に付箋としてメモを残すことができる。
【０００３】
【特許文献１】特開２００５−２２８２６２号公報
【特許文献２】国際公開番号ＷＯ２００５／０２９３５３号公報
【発明の開示】
【発明が解決しようとする課題】
【０００４】
しかしながら、上述した従来技術においては、文書を作成した本人あるいは、その文書を閲覧する他の利用者がページに対してメモとして残したい内容を付箋として付すことができるものであるが、その付箋を付したページがＷＥＢ上のページ等である場合に、時間の経過によって、そのページの内容が更新されたり、関連のある別のページが登録されたりする場合もある。このような場合であっても、付箋を付した対象のページの他に関連のあるページも把握した上で、付箋を付して、利用者間において情報交換できることが望ましい。
本発明は、以上の点に鑑みてなされたものであり、関連性のある電子ページを把握しつつ、複数のユーザが同じ電子ページを共有して、コミュニケーションを楽しむことができるコメント配信システム、コメント配信サーバ、端末装置、コメント配信方法、コメント表示方法、及びプログラムを提供することを目的とする。
【課題を解決するための手段】
【０００５】
前述した目的を達成するために本発明は、複数の端末装置とサーバが通信可能に接続されるコメント配信システムであって、前記サーバは、前記端末装置から指定されたＷｅｂページから画像データを生成し、当該画像データを識別する画像識別情報とともに記憶する画像データ記憶部と、前記画像データ記憶部に記憶される画像データのうち、関連性がある画像データについて画像識別情報を基に関連づけして記憶する関連画像データ記憶部と、コメント内容と、前記コメント内容を表示する付箋の前記画像データにおける位置を示す座標データと、を含むコメントデータを、前記画像データに対応させて記憶する第１のコメントデータ記憶部と、前記端末装置からの配信要求を受信して、要求された画像データを前記画像データ記憶部から取得し、前記要求された画像データに対応させて記憶されたコメントデータを、前記第１のコメントデータ記憶部から取得し、前記端末装置に配信する第１の配信部と、前記端末装置からの配信要求に応じて配信された画像データに関連する画像データの画像識別情報を前記関連画像データ記憶部を参照して読み出し、読み出した画像識別情報を前記端末装置に配信する第２の配信部と、を有し、前記端末装置は、前記サーバにデータを送信する送信部と、前記送信部を介して、前記サーバに対し配信要求を行い、画像データを受信する画像データ受信部と、前記送信部を介して、前記サーバに対し配信要求を行い、前記画像データ受信部が受信した画像データに対して発言された、コメント内容と、前記コメント内容を表示する付箋の前記画像データにおける位置を示す座標データを含むコメントデータを受信するコメントデータ受信部と、前記コメントデータを記憶する第２のコメントデータ記憶部と、前記受信した画像データを表示し、前記コメントデータを基に前記画像データ上にコメントの表示された付箋を表示する表示部と、前記サーバの第２の配信部によって配信される画像識別情報を受信して表示し、当該表示した画像識別情報が選択されると、当該選択された画像識別情報を前記サーバに送信して画像データの配信要求を行う関連画像データ管理部と、を有することを特徴とする。
【０００６】
また、本発明は、複数の端末装置と通信可能に接続されるサーバであって、前記端末装置から指定されたＷｅｂページから画像データを生成し、当該画像データを識別する画像識別情報とともに記憶する画像データ記憶部と、前記画像データ記憶部に記憶される画像データのうち、関連性がある画像データについて画像識別情報を基に関連づけして記憶する関連画像データ記憶部と、コメント内容と、前記コメント内容を表示する付箋の前記画像データにおける位置を示す座標データと、を含むコメントデータを、前記端末装置から受信して、前記画像データに対応させて記憶する第１のコメントデータ記憶部と、前記端末装置からの配信要求を受信して、要求された画像データを前記画像データ記憶部から取得し、前記要求された画像データに対応させて記憶されたコメントデータを、前記第１のコメントデータ記憶部から取得し、前記端末装置に配信する第１の配信部と、前記端末装置からの配信要求に応じて配信された画像データに関連する画像データの画像識別情報を前記関連画像データ記憶部を参照して読み出し、読み出した画像識別情報を前記端末装置に配信する第２の配信部と、を有することを特徴とする。
ここで、前記第１のコメントデータ記憶部は、付箋に表示されたコメント同士の主従関係を示す情報を更に記憶する。
【０００７】
また、本発明は、サーバと通信可能に接続される端末装置であって、前記サーバにデータを送信する送信部と、前記送信部を介して、前記サーバに対し配信要求を行い、画像データを受信する画像データ受信部と、前記送信部を介して、前記サーバに対し配信要求を行い、前記画像データ受信部が受信した画像データに対して発言された、コメント内容と、前記コメント内容を表示する付箋の前記画像データにおける位置を示す座標データを含むコメントデータを受信するコメントデータ受信部と、前記コメントデータを記憶する第２のコメントデータ記憶部と、前記受信した画像データを表示し、前記コメントデータを基に前記画像データ上にコメントの表示された付箋を表示する表示部と、前記表示部に表示した画像データに関連する画像データの画像識別情報を前記サーバから受信して表示し、当該表示した画像識別情報が選択されると、当該選択された画像識別情報を前記サーバに送信して画像データの配信要求を行う関連画像データ管理部と、を有することを特徴とする。
【０００８】
ここで、端末装置は、更に、コメント内容と、前記コメント内容を表示する付箋の前記画像データ上の位置とを指定して付箋を入力する付箋入力部を有し、前記付箋入力部により新しい付箋が入力されると、前記送信部は、前記新しい付箋のコメントデータを前記サーバに送信する。
また、前記表示部は、選択された付箋が他の位置に移動され、その位置に表示された場合、予め決められた時間が経過すると、元の位置に前記付箋を再表示する。
また、前記表示部は、選択された付箋が非表示要求されると、付箋を非表示とし、予め決められた時間が経過すると、前記非表示とした付箋を元の位置に再表示する。
【０００９】
また、本発明は、付箋に表示したコメントの主従関係を入力、表示することができる。
前記付箋入力部は、主となるコメントを表示した付箋と、コメント内容と、前記画像データ上の座標データを指定して、新しい付箋を入力し、前記送信部は、前記新しい付箋のコメントデータを、前記サーバに送信する。
ここで、前記表示部は、前記主となるコメントを表示した付箋が移動されると、その移動座標分だけ、前記主となるコメントと主従関係にあるコメントを表示した付箋を移動し、画像データ上に再表示する。
また、前記表示部は、前記主となるコメントを表示した付箋が前記画像データ上から消去されると、前記主となるコメントと主従関係にあるコメントを表示した付箋を、前記画像データ上から消去する。
【００１０】
また、本発明は、複数の端末装置と通信可能に接続されるサーバが、前記端末装置から指定されたＷｅｂページから画像データを生成し、当該画像データを識別する画像識別情報とともに記憶するステップと、前記画像データ記憶部に記憶される画像データのうち、関連性がある画像データについて画像識別情報を基に関連づけして記憶するステップと、コメント内容と、前記コメント内容を表示する付箋の前記画像データにおける位置を示す座標データと、を含むコメントデータを前記端末装置から受信して、前記画像データに対応させて記憶するステップと、前記端末装置からの配信要求を受信して、要求された画像データを取得し、前記要求された画像データに対応させて記憶されたコメントデータを取得し、前記端末装置に配信するステップと、前記端末装置からの配信要求に応じて配信された画像データに関連する画像データの画像識別情報を前記関連画像データ記憶部を参照して読み出し、読み出した画像識別情報を前記端末装置に配信するステップと、を有するコメント配信方法である。
【００１１】
また、本発明は、サーバと通信可能に接続される端末装置が、前記サーバにデータを送信する送信ステップと、前記サーバに対し配信要求を行い、画像データを受信するステップと、前記サーバに対し配信要求を行い、前記受信した画像データに対して発言された、コメント内容と、前記コメント内容を表示する付箋の前記画像データにおける位置を示す座標データを含むコメントデータを受信するステップと、前記コメントデータを記憶するステップと、前記受信した画像データを表示し、前記コメントデータを基に前記画像データ上にコメントの表示された付箋を表示するステップと、前記表示した画像データに関連する画像データの画像識別情報を前記サーバから受信して表示し、当該表示した画像識別情報が選択されると、当該選択された画像識別情報を前記サーバに送信して画像データの配信要求を行うステップと、を有するコメント表示方法である。
【００１２】
また、本発明は、複数の端末装置と通信可能に接続されるコンピュータを、前記端末装置から指定されたＷｅｂページから画像データを生成し、当該画像データを識別する画像識別情報とともに記憶する画像データ記憶手段、前記画像データ記憶部に記憶される画像データのうち、関連性がある画像データについて画像識別情報を基に関連づけして記憶する関連画像データ記憶手段、コメント内容と、前記コメント内容を表示する付箋の前記画像データにおける位置を示す座標データと、を含むコメントデータを前記端末装置から受信して、前記画像データに対応させて記憶する第１のコメントデータ記憶手段、前記端末装置からの配信要求を受信して、要求された画像データを前記画像データ記憶部から取得し、前記要求された画像データに対応させて記憶されたコメントデータを、前記第１のコメントデータ記憶手段から取得し、前記端末装置に配信する第１の配信手段、前記端末装置からの配信要求に応じて配信された画像データに関連する画像データの画像識別情報を前記関連画像データ記憶手段を参照して読み出し、読み出した画像識別情報を前記端末装置に配信する第２の配信手段、として機能させるプログラムである。
【００１３】
また、本発明は、サーバと通信可能に接続される端末装置を、前記サーバにデータを送信する送信手段と、前記送信手段を介して、前記サーバに対し配信要求を行い、前記画像データ受信部が受信した画像データに対して発言された、画像データを受信する画像データ受信手段と、前記送信手段を介して、前記サーバに対し配信要求を行い、コメント内容と、前記コメント内容を表示する付箋の前記画像データにおける位置と大きさを示す座標データを含むコメントデータを受信するコメントデータ受信手段と、前記コメントデータを記憶する第２のコメントデータ記憶手段と、前記受信した画像データを表示し、前記コメントデータを基に前記画像データ上にコメントの表示された付箋を表示する表示手段、前記表示部に表示した画像データに関連する画像データの画像識別情報を前記サーバから受信して表示し、当該表示した画像識別情報が選択されると、当該選択された画像識別情報を前記サーバに送信して画像データの配信要求を行う関連画像データ管理手段、として機能させるプログラムである。
【発明の効果】
【００１４】
本発明によれば、複数のユーザが同じ画像データを共有して、その画像データにコメントを記入した付箋を付すことによってコミュニケーションを楽しむことができるとともに、関連性のある画像データの識別情報について端末装置に配信するようにしたので、ユーザは、自身が閲覧している画像データと関連性のある画像データを把握し、付箋を付すことができる。
【発明を実施するための最良の形態】
【００１５】
以下に、添付図面を参照しながら、本発明に係るコメント配信システムの好適な実施形態について詳細に説明する。なお、以下の説明および添付図面において、略同一の機能構成を有する構成要素については、同一の符号を付することにより重複説明を省略することにする。
【００１６】
図１は、本発明の本実施の形態に係るコメント配信システムの構成を示す概念図である。この図に示すように、コメント配信システムは、ネットワーク４を介して通信可能に接続された、ページサーバ１、コメント配信サーバ２、複数の端末装置３から構成される。
【００１７】
図１において、ページサーバ１はサーバコンピュータであり、端末装置３からの要求に応じて、ネットワーク４上で提供されるＷｅｂページを画像ファイルに変換し、画像データ（以下、「ページ」とする）として配信する。ここで、画像ファイルの種類には、例えば、ＰＮＧ（Portable Network Graphics）、ＢＭＰ（Bitmap）、ＪＰＥＧ（Joint Photographic Experts Group）、ＧＩＦ（Graphic Interchange Format）、ＴＩＦＦ（Tagged-Image File Format）など様々なものがあり、特定されない。コメント配信サーバ２はサーバコンピュータであり、ページサーバ１が配信するページに対して端末装置３から入力された付箋（コメント）に関する情報を受信し、そのページを閲覧する各端末装置３に配信する。本発明では、付箋にはコメントが記入されており、付箋を表示することはコメントを表示することとなる。端末装置３は、ネットワーク４を介してページサーバ１とコメント配信サーバ３に接続し、ページサーバ１から配信されるページを受信して表示するとともに、コメント配信サーバ２から配信される付箋を受信してページ上に表示する。また、端末装置３は、自身の表示装置に表示されたページに対してコメントを書き込んだ付箋を貼付し、コメント配信サーバ３に送信する。
【００１８】
次に、図１におけるページサーバ１、コメント配信サーバ２、端末装置３について、図面を用いて更に説明する。
図２は、ページサーバ１の構成を示す概略ブロック図である。この図において、通信部１１は、コメント配信サーバ２、端末装置３とのデータの送受信等の通信を行う。
ページ生成部１２は、端末装置３からＷｅｂページのＵＲＬ（uniform resource locator）等を受け付け、そのＷｅｂページを画像ファイルに変換し、ページを生成する。このキャプチャのタイミングは、例えば、Webサーバからのダウンロードが終了した後の1秒後に行うというように設定可能である。ページ記憶部１３は、ページ生成部１２によって生成されたページ（画像ファイル）、及びページに関するページ情報を記憶する。
【００１９】
図３は、ページ記憶部１３が記憶するページ情報の一例を示す図である。ページ情報は、ページＩＤ、画像ファイル名、ＵＲＬ、ＨＴＭＬ、タイトル、ユーザ名、サムネイル画像等から構成される。ページＩＤは、ページ生成部１２によって生成されたページを識別するための情報である。画像ファイル名は、ページが記憶されたファイルの名前である。ＵＲＬ、ＨＴＭＬは当該ページを生成する際にオリジナルであるＷｅｂページのＵＲＬ、ＨＴＭＬである。タイトルには、生成されたページに対して、ユーザが端末装置３から入力したタイトルが記憶される。ユーザＩＤは、その画像を登録要求したユーザであり、タイトルをつけたユーザの識別情報である。サムネイル画像は、画像ファイルとして登録された画像の一部を示すデータである。
また、図２において、ページ配信部１４は、ページ記憶部１３に記憶されたページを読み出して、端末装置３に配信する。
【００２０】
図４は、コメント配信サーバ２の構成を示す概略ブロック図である。この図において、通信部２１は、ページサーバ１、端末装置３とのデータの送受信等の通信を行う。ユーザ情報記憶部２２は、コメント配信サーバ２によってコメント配信サービスを受けることができるユーザに関する情報が登録される。ここでは、例えば、ユーザＩＤとパスワードが対応づけて記憶される。
認証部２４は、端末装置３からコメントサーバ２に対してログイン要求が送信されると、ユーザ情報記憶部２２に記憶された情報を参照し、ユーザ認証をする。
【００２１】
図４において、コメント情報記憶部２７は、付箋に書き込まれるコメントの内容や表示方法、付箋の位置情報等の付箋に関する情報（以下、「コメントデータ」とする）を付箋が付されたページ毎にまとめ、コメント情報として記憶する。
このコメント情報記憶部２７に記憶されるデータの一例を図５に示す。コメント情報記憶部２７には、ページサーバ１により配信されるページに付される付箋に関するコメント情報が複数記憶されている。各コメント情報は、ページを識別するページＩＤの情報を含み、どのページに対するコメント情報であるかを識別できるようになっている。そして、コメント情報には、コメントＩＤ、コメント投稿実時間、ユーザ名、ユーザＩＤ、コメント内容、コメント出力方法、座標データからなるコメントデータが含まれる。
【００２２】
コメントＩＤは、コメントを識別するための識別情報である。コメント投稿実時間は、コメントが記入された付箋をページ上に貼付（コメントを発言）した実際の時刻を示す。ユーザ名は、コメントを付与したユーザの名称であり、ユーザＩＤはユーザを識別する情報である。コメント内容は、ユーザによって入力された付箋に書き込まれるコメントの内容である。出力方法は、付箋をページ上にどのように表示させるのか、コメントをどのように表示させるのかを指定する情報である。座標データは、ページ上に表示させる付箋の位置を示すデータである。付箋が矩形である場合、座標データは矩形の対角となる２点の座標としてもよい。また、座標データを、付箋を表示する基準となる位置の座標とし、付箋の大きさや形はコメント出力方法に従って決めても良い。
また、後述するように、ページを表示させ閲覧している端末装置３からコメントデータを受信した場合には、当該受信したコメントデータが追加保存されるようになっている。このコメント情報記憶部２７が上述の第１のコメントデータ記憶部に相当する。
【００２３】
次に、図４において、コメント情報配信部２６は、コメント情報記憶部２７に記憶されたコメント情報を読み出して、端末装置３に配信する。
コメント情報管理部２５は、通信部２１を介して端末装置３から受信した、新たなコメントデータにコメントＩＤを付し、ページＩＤに従ってコメント情報記憶部２７に追加して記憶する。
通信部２１は、端末装置３と各種通信を行い、端末装置３から送信される情報をコメント情報管理部２５に出力してコメントデータを追加して記憶させるための指示を出力したり、コメント情報配信部２６にコメント情報の配信指示を出力する。
【００２４】
次に、端末装置３について、図面を用いて説明する。図６は、端末装置３の構成を説明する概略ブロック図である。
この図において、ページ再生部３１は、端末装置３のユーザによって指定されたページの配信要求をページサーバ１に送信し、ページサーバ１から配信されるページを受信して表示する。コメント情報受信部３２は、表示したページに対して付された付箋（コメント）に関するコメント情報の配信要求をコメント配信サーバ２に送信し、コメント情報をコメント配信サーバ２から受信する。また、表示中のページに対して新たなコメントが付された場合、当該コメントに関するコメントデータをコメント配信サーバ２から受信する。コメント情報記憶部３３は、コメント情報受信部３２が受信したコメント情報を記憶する。このコメント情報記憶部３３は、上述の第２のコメントデータ記憶部に相当する。
【００２５】
表示装置３４は、液晶表示装置やＣＲＴ（Ｃａｔｈｏｄｅ  Ｒａｙ  Ｔｕｂｅ）等であり、各種情報を表示する。第１の表示部３５は、ページ再生部３１によって再生されるページを表示装置３４に表示するとともに、コメント情報記憶部３３に記憶されたコメント情報に基づいて、ページにおける指定された座標位置に付箋を表示する。第２の表示部３６は、コメント情報記憶部３３に記憶されるコメントデータに基づいて、コメントのリストをコメント一覧として表示装置３４に表示する。
【００２６】
この表示装置３４に表示される情報について、更に説明する。図７は、表示装置３４に表示される情報の一例を示す図である。表示欄１０２には、表示されたページのページＩＤが表示される。表示欄１０３には、現在表示されているページが閲覧要求されたのべ回数が閲覧回数として表示される。この閲覧回数は、他のユーザがページの表示（閲覧）を要求した場合には、その時点で同じページを閲覧中のユーザのカウント数が増加され、カウント数が更新されて表示される。表示欄１０４には、第１の表示部によって表示されるページが表示される。この表示欄１０４のページが表示欄１０５に収まらないときは、表示欄１０４の画像をスクロールさせて表示するようにしてもよい。表示欄１０５は、第１の表示部によって表示される付箋（例えば付箋１１５、１１６ａ）が表示される領域であり、ここでは、表示欄１０４に表示されるページ上に付箋が表示される。付箋１１５、１１６ａにはコメントが表示される。また、ここでは、表示欄１０５は、表示欄１０４よりも大きいサイズに設定されており、後述するように、表示欄１０５内で付箋を移動表示することが可能である。
【００２７】
入力欄１０９には、コメントの出力方法を指定する情報が入力される。コメントの出力方法を指定する情報としては、例えば、ページ上に表示する付箋の位置、付箋に表示させるコメントのフォントの種類、大きさ、色等が入力可能である。また、付箋の色、即ち、コメントの背景色や形や表示方法についても入力可能である。この付箋の形は、四角形以外の多角形であってもよく、円や星型等であってもよい。なお、ここで、コメントの表示のさせ方については、予め決めておき、ユーザが入力しなくてもよいようにすることも可能である。
【００２８】
コメント欄１１０には、入力部３７を介してユーザによってコメントが入力される。ボタン１１１は、クリックされることによって、コメント欄１１０に入力されたコメントや、入力欄１０９に入力された付箋の表示のさせ方の情報をコメント配信サーバ２に送信する。表示欄１１２は、第２の表示部３６によって表示される、コメント一覧が表示される領域である。このコメント一覧には、コメントが付与された日時（符号１１２ａ）、コメントを入力したユーザの名前（符号１１２ｂ）、発言されたコメントの一部（符号１１２ｄ）が、投稿順に表示される。この表示欄１１２に、表示欄１１２を画面上に表示させるか否かを指定するチェックボックス等の入力欄を設け、この入力欄に入力された表示の可否の指示に従い、表示をさせるあるいは、表示を隠すようにすることも可能である。また、この表示欄１１２に表示させるコメントの一部の個数をユーザの指示に従って、変更するようにしてもよい。
【００２９】
次に、図６に戻り、入力部３７は、マウスやキーボード等の入力装置であり、ユーザからの各種情報の入力を受け付ける。選択部３８は、第２の表示部３６によって表示されたコメント一覧のリストのうち、入力部３７を介して入力されるコメントの選択の入力を受け付ける。再生制御部３９は、選択部３８によって選択されたコメントのコメントデータをコメント情報記憶部３３から読み出し、コメントデータを基に、ページ上から選択された付箋を選択する。例えば、図７に示す表示欄１１２ｄから「おいしそ〜」とかかれたコメントが入力部３７を介して選択されると、第１の表示部は、当該コメントのコメントデータをコメント情報記憶部３３から読み出し、当該コメントデータを基に表示された付箋１１５を選択し、選択されたことを示す矢印等を表示装置３４に表示する。
【００３０】
また、再生制御部３９は、入力部３７を介して入力される付箋の操作を受け付け、その表示処理を行う。例えば、ユーザが図７に示す付箋１１６ａを入力部３７のマウスによって選択し、ダブルクリックすると、再生表示部３９は、付箋１１６ａを表示部１０５から消し、予め決められた時間が経過すると再度表示する。また、ユーザが付箋１１６ａを入力部３７のマウスによって選択し、位置１１６ｂまでドラッグすると、再生表示部３９は付箋１１６ａを一時的に位置１１６ｂに表示するが、予め決められた時間が経過すると元の位置に表示する。
このように、付箋を一時的に移動したり、非表示にすることで、ページが見やすくなり、ユーザが容易にコメントの入力をすることができる。
【００３１】
通信部４０は、第１の表示部３５によって表示されたページに対して、貼付する付箋に関するデータ入力を受け付け、コメント配信サーバに送信する。また、通信部４０は、コメント配信サーバ２やページサーバ１との各種情報の送受信を行う。
【００３２】
次に、上述したコメント配信システムの動作について説明する。まず、端末装置３は、コメントサーバ２に対してログイン要求を行う。ユーザは、端末装置３から、予めコメント配信システムに登録したユーザＩＤやパスワード等を入力し、端末装置３は、コメントサーバ２に対してログイン要求を送信する。
端末装置３からコメントサーバ２に対してログイン要求が送信されると、コメントサーバ２の認証部２４は、送信されたユーザＩＤ等と、ユーザ情報記憶部２２に記憶された情報とを照合し、ユーザを認証する。ユーザが認証されると、コメントサーバ２はメニュー画面を送信する。このメニュー画面の例を図８に示す。
図８に示すように、メニュー画面には、閲覧可能なページのサムネイル画像（符号５０）がページＩＤやタイトル（符号５１）とともに表示されており、マウス等によりサムネイル画像又はタイトルを選択し、クリックすることにより画像が閲覧できるようになっている。また、ＵＲＬ入力欄（符号５２）にＷｅｂページのＵＲＬ、タイトル等を入力し、投稿ボタン（符号５３）をクリックすることによって新たなページ（画像ファイル）の生成、登録ができるようになっている。
【００３３】
次に、ページ（画像ファイル）の生成、登録の動作について説明する。図９は、コメント配信システムにおけるページ登録処理のシーケンスを示す図である。
ユーザは、メニュー画面において端末装置３の入力部３７を介して、ＵＲＬ入力欄に登録したいＷｅｂページのＵＲＬ、ページのタイトル等を入力し（ステップＳ３０１）、端末装置３は入力されたＵＲＬやページタイトル等をページサーバ１に送信する（ステップＳ３０２）。
【００３４】
ページサーバ１は、ネットワーク４を介して、送信されたＵＲＬのＷｅｂページを提供するＷｅｂサーバに接続し（ステップＳ３０３）、ＷｅｂページのＨＴＭＬを受信する（ステップＳ３０４）。ページサーバ１のページ生成部１２は、受信したＨＴＭＬを基にＷｅｂページを画像ファイルに変換してページとサムネイル画像とを生成し（ステップＳ３０５）、生成したページに対してページＩＤ、画像ファイル名、オリジナルとなったＷｅｂページのＵＲＬ、ＨＴＭＬ、ユーザによって入力されたタイトル、ユーザＩＤ、サムネイル画像をページ情報として、ページとページ情報とをページ記憶部１３に記憶する（ステップＳ３０６）。ここで、ページを作成する際のページのサイズは標準とし、端末装置３の出力装置やユーザの設定によらず、付箋の位置や大きさが正しく表示できるようにする。
【００３５】
次に、ページ上に付箋（コメント）を表示する処理について説明する。図１０は、端末装置３のページ及びコメント情報の取得要求処理のシーケンスを示す図である。
ユーザは、メニュー画面から閲覧したい画像を選択する。端末装置３は、入力部３７を介して、ユーザの選択を受け付ける（ステップＳ４０１）。
端末装置３の通信部４０は、ユーザの画像選択を受け付けると、ページサーバ１に選択されたページＩＤを送信し（ステップＳ４０２）、コメント配信サーバ２に選択されたページＩＤを送信する（ステップＳ４０３）。
ページサーバ１のページ配信部１４は、送信されたページＩＤを基にページ記憶部１３に記憶されたページ情報を検索し、当該ページＩＤの画像ファイルを読み出し、通信部１１を介して当該画像を端末装置３に送信する（ステップＳ４０４）。
【００３６】
また、コメント配信サーバ２のコメント情報配信部２６は、端末装置３から送信されたページＩＤを基にコメント情報記憶部２７に記憶されたコメント情報を検索し、当該ページＩＤのコメント情報を読み出し、通信部２１を介して当該コメント情報を端末装置３に送信する（ステップＳ４０５）。ここでは、端末装置３から新たにコメントデータを受信した場合には、コメント配信サーバ２は、端末装置３から新たに送信されたコメントデータを受信し、受信した時点をコメント投稿実時間として設定してコメント情報記憶部２７に追加登録し、このコメントデータが登録されたページを閲覧している各端末装置３に、このコメントデータを配信する。
こうして、端末装置３は、選択した画像とその画像に対応したコメント情報とを受信し、付箋の付されたページ表示を行う（ステップＳ４０６）。
【００３７】
次に、メニュー画面表示後の端末装置３の動作について図面を用いて説明する。図１１は、端末装置３の動作を説明するためのフローチャートである。
端末装置３の入力部３７は、ユーザからページ再生の指示が入力されると（ステップＳ５０１）、指示されたページのページＩＤを通信部４０によってページサーバ１に送信してページの配信要求を行う。ページ再生部３１は、ページサーバ１から配信されたページを、第１の表示部３５によって表示装置３４に表示する（ステップＳ５０２）。また、端末装置３は、指定されたページのページＩＤと共にコメント情報の配信要求をコメント配信サーバ２に送信する。そして、コメント情報受信部３２は、コメント配信サーバ２から配信されるコメント情報を受信したならば（ステップＳ５０３）、コメント情報記憶部３３に記憶する。
【００３８】
ページが再生されると、第１の表示部３５は、コメント情報記憶部３３に記憶したコメント情報に未表示のコメントデータがあるか否かを判定する（ステップＳ５０４）。コメント情報に未表示のコメントデータがある場合、第１の表示部３５は、当該コメントデータから付箋のページ上の表示位置を算出し（ステップＳ５０５）、算出された表示位置において、コメントデータにおけるコメント内容、コメント出力方法等に従って付箋の表示制御を行い（ステップＳ５０６）、ステップＳ５０４に移行する。なお、コメントデータの表示は、コメント投稿実時間の早いものから順に行われる。
【００３９】
一方、ステップＳ５０４において、表示させるコメントがなければ、配信部４０は、入力部３７からコメントが入力されたか否かを検出する（ステップＳ５１１）。コメントの入力があった場合には、予め決められたデフォルトの表示位置を座標データとして、通信部４０は、コメント内容、ユーザＩＤ、コメント出力方法、ページＩＤとともにコメント配信サーバ２に送信し（ステップＳ５１２）、ステップＳ５０４に移行する。
【００４０】
ステップＳ５１１において、コメントの入力ではない場合、端末装置３はコメント情報受信部３２によって、コメントデータを受信したか否かを検出する（ステップＳ５２１）。コメントデータを受信した場合、コメント情報受信部３２は、受信したコメントデータをコメント情報記憶部３３に追加保存し、ステップＳ５０４に移行する。
【００４１】
一方、ステップＳ５２１において、コメントデータの受信ではない場合、端末装置３の選択部３８は、入力部３７から、付箋に対する選択操作の入力があったか否かを検出する（ステップＳ５３１）。付箋の選択操作の入力があった場合、選択部３８は、選択された付箋のコメント内容を再生制御部３９に出力する。再生制御部３９は、この出力を受けて、選択されたコメント内容に対応づけて記憶されたコメント情報を、コメント情報記憶部３３を参照して読み出し、操作指示に応じて再生制御する（ステップＳ５３２）。こうして、ステップＳ５０４に移行する。
【００４２】
以上の動作により、表示部１０４、１０５に、ページとそのページに貼付され、コメントの書き込まれた付箋が表示される。第２の表示部は、コメント記憶部３３に記憶されたコメント情報を参照し、コメント一覧を表示欄１１２に表示し、図７に示す画面が表示装置３４に表示される。
【００４３】
次に、コメント配信サーバ２及び端末装置３における付箋の表示や操作に関する動作について説明する。
本コメント配信システムでは、コメント消去の権限を有するユーザは、ページ上に付されたコメントを消去することができる。コメントの消去は、例えば、端末装置３を介して入力される、コメント消去の権限を有するユーザからのコメント消去指示に応じて、その消去対象のコメントが画面上に表示されないようにすることができる。また、コメントの消去の権限を直接持っていないユーザであっても、その権限を有しないユーザからのコメント消去要求の数に応じて、コメントを半透明状態、あるいは、コメントを表示させないようにすることが可能である。
【００４４】
また、コメント移動の権限を有するユーザは、当該付箋を移動させ、再登録することができる。図１２は、表示欄１０５に表示される付箋５３の移動表示を説明するための図であり、図１３は、図１２に示す付箋の移動時のコメント情報の一部（コメントＩＤ、コメント内容、座標データ）を示す図である。
図１２に示すように、コメント内容として「おいしそう」と書き込まれた付箋５３−１が、付箋を書き込んだユーザによってマウスなどで選択されドラッグされて、位置５３−２、位置５３−３に移動されたとする。例えば、ユーザはマウス操作により移動したい付箋５３−１を選択し、移動したい位置５３−２まで付箋をドラッグして位置を確定する。その後、同様に、位置５３−２から位置５３−３まで付箋を移動する。
【００４５】
図１３に示すように、コメント情報記憶部３３に記憶される付箋５３−１のコメントデータの一部であるコメントＩＤは「ＩＤ０００１」、コメント内容は「おいしそう」、最初の座標データが「（１，１）」であったとする。ここで、図１２に示す付箋５３−１が位置５３−２に移動された場合は、コメントＩＤは「ＩＤ０００１」、コメント内容は「おいしそう」、座標データが位置５３−２の座標である「（１，３）」であるデータが、ページＩＤ、コメントＩＤとともにコメント配信サーバ２に送信される。コメント配信サーバ２のコメント情報管理部２５はコメント情報記憶部２７のコメント情報にコメントデータを追加し、コメント情報配信部２６は、追加されたコメントデータを同じページを閲覧中の各端末装置３に配信する。同様に、付箋５３−１が位置５３−２から位置５３−３に移動した場合は、座標データが位置５３−３の座標である「（３，１）」であるコメントデータがコメント配信サーバ２に送信される。尚、付箋を表示する場合は、ページ再生部３１は、同一コメントＩＤの最新のコメント情報を参照して表示する。
【００４６】
次に、本コメント配信システムにおけるその他の様々な機能について説明する。
図１４は、端末装置３の表示装置３４に表示される情報の一例を示す図である。
図１４に示すように、ページのサムネイル画像とページＩＤの一覧を画面の一部の表示欄６１に表示することも可能である。入力部３７を介して、サムネイル画像が選択されると、選択されたサムネイル画像のページと付箋が図１１に示すフローに従って表示欄１０５に表示される。
【００４７】
また、本システムでは、表示欄１０５に表示されるページの画像部分をダブルクリックすると、例えば、表示装置３４に別画面を開いてオリジナルとなるＷｅｂページを表示することができる。この場合、コメント配信サーバ２から端末装置３に送信され、記憶されるコメント情報には、各コメントのコメントデータの他にページのオリジナルとなるＷｅｂページのＵＲＬに関する情報が含まれる。
また、コメントで特殊文字を用いた場合の操作を予め決めて、実行することも可能である。例えば、特殊文字「＞＞」を用い、付箋のコメントとして特殊文字「＞＞」の後にページＩＤが表示された(コメントとして「＞＞ページＩＤ」が表示された)付箋を入力部３７によりクリックすると、そのページＩＤのページやオリジナルとなったＷｅｂページを表示するように設定することも可能である。
【００４８】
また、現在表示欄１０５に表示しているページ、例えば、図１４の表示欄１０２に示すページ「ID0001」に関連する関連ページのページＩＤの一覧を、画面の一部の表示欄６３に表示することも可能である。ここで、関連ページの選択方法として、現在表示欄１０５に表示されているページのオリジナルとなったＷｅｂページのＵＲＬが一部共通するものを関連ページとしてグルーピングする方法がある。例えば、表示欄１０５に表示されているページのオリジナルとなったＷｅｂページのＵＲＬが「http://www.aaa.jp/xxx/001」であれば、特定文字である最後の「/」以前のＵＲＬ「http://www.aaa.jp/xxx/」が一致するＷｅｂページをオリジナルとして生成されたページを、関連ページとして、このＵＲＬを関連づけしてコメント配信サーバ２に記憶する。この記憶は、コメント配信サーバ２がページサーバ１に記憶されたＵＲＬを参照し、関連性の有無をＵＲＬの特定文字に基づいて判定し、関連性がある場合に、記憶する。ここでは、特定文字である最後の「/」を基に、そのＵＲＬの文字列の先頭側が一致する場合について関連ページとしたが、どこまで共通した場合に関連があるＵＲＬとするかについては、必ずしも特定文字である最後の「/」でなくてもよく、「ＷＷＷ」の次の「/」までであってもよく、また、他の文字であってもよい。また、関連ページとして記憶するのは、コメント配信サーバ２であってもよく、ページサーバ１であってもよい。
【００４９】
この場合、端末装置３は、関連画像データ管理部を有する。この関連画像データ管理部は、コメント配信サーバ２から配信される関連ページとして送信されたページＩＤを受信して画面上の表示欄６３に表示し、この表示欄６３の中のいずれかのページＩＤが入力部３７を介して選択されると、当該選択されたページＩＤをページサーバ１およびコメント配信サーバ２に送信して画像データの配信要求を行う。以降は、選択された関連ページのページと付箋が図１１に示すフローに従って表示欄１０５に表示される。
【００５０】
これにより、最初に閲覧しているページがニュースを掲載するＷＥＢページや、ブログ等のように、時間の経過とともに新たなニュースや内容が追加されて新たなページが生成されたり、あるいは、関連する話題を掲載したページが生成された場合であっても（例えば、スポーツの話題であって、試合開始前にチームや選手についての話題のページが登録されていて、試合が終わった場合に、試合結果のページが登録された場合）、ＵＲＬを基に関連性のあるページを関連づけして管理することができる。これにより、最初に閲覧していたページに関連性のあるページが新たに登録された場合であっても、ユーザは、付箋を付した後あるいは閲覧したページだけでなく、関連性のあるページについても把握でき、その新たなページを閲覧したり、新たなページで付箋を付すことによってコメントを発言することができる。このようにすることによって、新たなページが生成された場合に、そのページを新たな話題として他のユーザとコミュニケーションを図ることが可能となり、例えば、テーマが同じであって、話題に進捗があったページも把握できる。
また、関連する別のページを把握することができるので、ユーザに対し興味がある可能性があるページを提供することで、別の話題でコミュニケーションをとっているグループに参加してコミュニケーションを図ることが可能となる。
【００５１】
また、本システムはページの検索機能を有する。コメント配信サーバ２は、検索メニュー画面を端末装置３に送信、表示させ、端末装置３から入力された検索キーワードを受け付け、キーワードを基にページ配信サーバ１のページ記憶部１３を参照し、コメント情報のＨＴＭＬやタイトルからキーワードを検索し、関連するページのみを抽出したメニュー画面を生成し、端末装置３に送信することができる。
また、例えば、ページ配信サーバ１において、システムの管理者等がページＩＤごとにカテゴリーを付してページ記憶部１３記憶し、そのカテゴリーを検索に利用しても良い。
また、ページを登録する際に、ページを登録したユーザがページに関するタグを設定してページ配信サーバ１のページ記憶部１３に記憶し、そのタグを用いて検索を行っても良い。
また、こうして検索したページ、或いは、これまで表示したページなどをユーザの「お気に入りページ」として登録するマイページ機能を設定することもできる。
【００５２】
また、本システムにおけるコメント出力方法として、投稿時間から一定時間内のコメントを出力させたり、システムの管理者等の指定する範囲を出力させたりすることが可能である。
また、本実施の形態では、付箋のコメントはテキストであったが、文字や記号等を並べ、アスキーアート（テキストアートともいう）をコメントとして入力することも可能である。また、付箋のコメントはコンテンツでもかまわない。このコンテンツとしては、動画、静止画、写真、イラスト、アニメーション、楽曲、効果音、プログラム等である。
【００５３】
次に、本発明の第２の実施形態について説明する。
本実施形態によれば、付箋同士に関連性を持たせて登録し、ページに表示することが可能である。以下、主従関係のあるコメント内容を書き込んだ付箋の登録と表示の動作に関して説明する。
図１５は、主従関係のある付箋が表示されたページの一例を示す図である。図１６は、図１５に示す主従関係のある付箋のＩＤを示す図である。
【００５４】
図１６において、ページ７１には付箋８１、８２、８３、８４が表示される。ここで、付箋８１はページ７１に表示された「オムライス」に対するコメントであり、そのコメント内容は「Ａ店のオムライス最高！」である。また、付箋８２及び付箋８３は、付箋８１のコメントに関連付けて付されたものであり、付箋８４は付箋８２のコメントに関連付けて付されたものである。主従関係のある付箋同士、たとえば、付箋８１と付箋８２の間には矢印などを表示し、主従関係を表示することができる。
【００５５】
図１６に示すように、付箋８１のコメント「Ａ店のオムライス最高！」のコメントＩＤは「ＩＤ０００１」である。付箋８１のコメントは、コメントが関連付けられる親コメントであるため、親コメントＩＤは存在しない。付箋８２のコメント「Ａ店ってどこにある？」のコメントＩＤは「ＩＤ０００２」であり、親コメントＩＤは付箋８１のコメントＩＤである「ＩＤ０００１」となる。付箋８３のコメント「カツカレーもおいしい！」のコメントＩＤは「ＩＤ０００３」であり、親コメントＩＤは付箋８１のコメントＩＤである「ＩＤ０００１」となる。また、付箋８４のコメント「Ｂビルの地下１階」のコメントＩＤは「ＩＤ０００４」であり、親コメントＩＤは付箋８２のコメントＩＤである「ＩＤ０００２」となる。
【００５６】
図１７は、主従関係のある付箋の書き込みを行う画面の一例を示す図である。図１７に示す画面において、図７に示す画面と同一符号を有する構成は同様の動作、機能を有する。コメント欄１１０には、入力部３７を介してユーザによってコメントが入力される。ここで、入力されたコメントに、他の付箋との主従関係を持たせる場合、ユーザは、コメント指定ボタン１５１を押下し、コメント指定モードの状態で主従関係の主となる付箋（親コメント）をマウスなどでクリックして指定する。こうして、ボタン１１１がクリックされると、端末装置３の通信部４０は、コメント欄１１０に入力されたコメント、指定された親コメントとなる付箋の情報、入力欄１０９に入力された付箋の表示のさせ方の情報をコメント配信サーバ２に送信する。
【００５７】
コメント配信サーバ２は、端末装置３から送信されたコメントに関する情報をコメントデータとしてコメント情報記憶部２７に記憶する。図１８は、コメント情報記憶部２７に記憶される主従関係を有するコメントのコメント情報の一例を示す図である。図１８に示すコメント情報のコメントデータのうち、コメントＩＤ、コメント投稿実時間、ユーザ名、ユーザＩＤ、コメント内容、コメント出力方法、座標データは図５に示すコメント情報と同様のものである。ただし、座標データは、親コメントの付箋の位置を起点とした相対座標となる。主従関係を有するコメントに関するコメント情報には、図１８に示すように、親コメントＩＤが追加される。親コメントは、入力された当該コメントの主となるコメントであり、図１７に示すコメント指定ボタン１５１で指定されたコメントである。
【００５８】
次に、関連性のある付箋の表示、動作について述べる。
例えば、主従関係のある付箋の表示において、主となるコメント（親コメント）となる付箋を移動すると、その親コメントに関連した全ての付箋が付随して移動する。また、主となるコメントとなる付箋が権限のあるものによって消去されると、その親コメントに関連して付された全ての付箋が消去される。これらの表示、動作は、図１８に示すコメント情報のうち、親コメントＩＤと座標データを利用することによって実現される。
また、ユーザがページに付した付箋に対して関連性のある付箋が他のユーザにより付された場合、ユーザが本コメント配信システムを利用中或いは利用開始する際に、ユーザの付箋に従となる（子供となる）コメントが表示された付箋が付されたことを知らせるアラートを画面上に表示したり、端末装置３がスピーカ等の音声出力装置を有する場合は、音声で知らせることも可能である。
【００５９】
以上説明した実施形態において、図２における通信部１１、ページ生成部１２、ページ配信部１４の機能を実現するプログラム、或いは、図４における通信部２１、コメント情報管理部２５、コメント情報配信部２６の機能を実現するためのプログラム、あるいは、図６における、ページ再生部３１、コメント情報受信部３２、第１の表示部３５、第２の表示部３６、入力部３７、選択部３８、再生制御部３９、通信部４０の機能を実現するためのプログラムをコンピュータ読み取り可能な記録媒体に記録して、この記録媒体に記録されたプログラムをコンピュータシステムに読み込ませ、実行することによりコメントの配信、コメントの表示制御を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
また、以上説明した実施の形態において、ページサーバ１とコメント配信サーバ２の動作を一つのサーバコンピュータが行ってもかまわない。
【００６１】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００６２】
【図１】この発明の一実施形態によるコメント配信システムの構成を示す概念図である。
【図２】ページサーバ１の構成を示す概略ブロック図である。
【図３】ページ記憶部１３に記憶されるデータの一例を示す図である。
【図４】コメント配信サーバ２の構成を示す概略ブロック図である。
【図５】コメント情報記憶部２７に記憶されるデータの一例を示す図である。
【図６】端末装置３の構成を説明する概略ブロック図である。
【図７】表示装置３４に表示される情報の一例を示す図である。
【図８】メニュー画面の一例を示す図である。
【図９】ページ登録処理を説明するためのシーケンス図である。
【図１０】ページ及びコメント配信要求処理を説明するためのシーケンス図である。
【図１１】端末装置３の動作について説明するためのフローチャートである。
【図１２】付箋の移動を示す図である。
【図１３】移動した付箋のコメント情報の一部を示す図である。
【図１４】表示装置３４に表示される情報の一例を示す図である。
【図１５】第２の実施形態における関連性のあるコメント表示について説明するための図である。
【図１６】関連性のあるコメントのＩＤの一例を示す図である。
【図１７】表示装置３４に表示される情報の一例を示す図である。
【図１８】関連性のあるコメントに関するコメント情報の一例を示す図である。
【符号の説明】
【００６３】
１  ページサーバ    ２  コメント配信サーバ    ３  端末装置    １１  通信部    １２  ページ生成部    １３  ページ記憶部    １４  ページ配信部    ２１  通信部    ２２  ユーザ情報記憶部    ２４  認証部    ２５  コメント情報管理部    ２６  コメント情報配信部    ２７  コメント情報記憶部    ３１  ページ再生部    ３２  コメント情報受信部    ３３  コメント情報記憶部  ３４  表示装置    ３５  第１の表示部    ３６  第２の表示部    ３７  入力部    ３８  選択部    ３９  再生制御部４０  通信部
【図１】
2008305104.tif 000003
【図２】
2008305104.tif 000004
【図３】
2008305104.tif 000005
【図４】
2008305104.tif 000006
【図５】
2008305104.tif 000007
【図６】
2008305104.tif 000008
【図７】
2008305104.tif 000009
【図８】
2008305104.tif 000010
【図９】
2008305104.tif 000011
【図１０】
2008305104.tif 000012
【図１１】
2008305104.tif 000013
【図１２】
2008305104.tif 000014
【図１３】
2008305104.tif 000015
【図１４】
2008305104.tif 000016
【図１５】
2008305104.tif 000017
【図１６】
2008305104.tif 000018
【図１７】
2008305104.tif 000019
【図１８】
2008305104.tif 000020